(57)【要約】【課題】  コーナー部の床面と壁面とがなす角度に合わせて安定して取り付けることができるストレーナーを提供する。【解決手段】  ストレーナー２０においては、枠２７と、爪３１ｂとが底面部２１を構成し、枠２５と爪３０ｂとが背面部２２を構成する。更に、爪３１ｂの各々の先端がなす面が床面４６に接する第１の設置面２３を構成し、爪３０ｂの各々の先端がなす面が壁面４７に接する第２の設置面２４を構成する。背面部２２に形成される爪３０ｂを壁面４７に合わせて切断すると、第１の設置面２３を含む面と第２の設置面２４を含む面とがなす角度を、床面４６と壁面４７とがなす角度（９０−θ）°に合わせることができる。したがって、ストレーナー２０の取付け状態が安定する。【選択図】図３
2008106421.tif 000002
【特許請求の範囲】
【請求項１】
床面と壁面とのコーナー部に取り付けられるストレーナーであって、
前記床面に接する第１の設置面を有する底面部と、
前記壁面に接する第２の設置面を有する背面部と、
前記第１の設置面を含む面と前記第２の設置面を含む面とがなす角度を調整することができる角度調整手段とを備えた、ストレーナー。
【請求項２】
前記角度調整手段は、前記背面部の外周縁に沿って形成されると共に前記壁面の側に伸びる複数の切断自在の爪を含む、請求項１記載のストレーナー。
【請求項３】
前記背面部は、前記底面部に一体的に接続される正面板と、前記正面板に対して前記壁面の側に配置される背面板とを含み、
前記角度調整手段は、前記正面板に対して前記背面板がなす角度を調整する、請求項１記載のストレーナー。
【請求項４】
前記角度調整手段は、前記背面板の前記正面板の側に取り付けられ、ネジ山が形成された第１の棒状体と、前記正面板の前記背面板の側に回動自在に取り付けられ、回転に伴って前記ネジ山に螺合する回転体と、前記背面板の下方両端を回動自在に支持する第２の棒状体とを含む、請求項３記載のストレーナー。
【請求項５】
前記角度調整手段は、前記背面部の前記壁面の側に取り付けられると共に押圧によって変形可能なスペーサーを含む、請求項１記載のストレーナー。
【請求項６】
前記底面部は、外周縁に沿って形成されると共に前記床面の側に伸びる複数の鋳物よりなる柱状の脚を含み、前記脚の各々の先端がなす面が前記第１の設置面を構成する、請求項１から請求項５のいずれかに記載のストレーナー。
【発明の詳細な説明】
【技術分野】
【０００１】
この発明はストレーナーに関し、特に建造物の屋上等の床面と壁面とのコーナー部に設けられたドレインに取り付けられるストレーナーに関するものである。
【背景技術】
【０００２】
図１４は従来のストレーナーの外観斜視図であり、図１５は図１４で示したストレーナーの取付け状態を示した概略断面図である。
【０００３】
これらの図を参照して、平面視がコの字形状を有する金属製の枠２７と正面視がコの字形状を有する金属製の枠２５とは、側面視において直角になるように、枠２７及び２５の両端部の各々が接続されている。枠２７からは、床面４６側に伸びるように、矩形平板状よりなる金属製の複数の爪３１が通水スペース３５を介して形成されている。枠２７と枠２５との間に、直角三角形形状に形成される両側面及び矩形形状に形成される傾斜面には、金属製のメッシュ３７が折り曲げられて一体的に取り付けられている。なお、傾斜面部分の枠２７及び２５、爪３１、メッシュ３７はほぼ同一平面になるように形成されている。傾斜面部分のメッシュ３７の下方中央の外方側には、矩形形状のプレート３８が取り付けられ、そのプレート３８からメッシュ３７を貫通して壁面４７側に伸びるように、平板状の線材をねじった形状よりなる固定具３９ａ及び３９ｂが接続されている。
【０００４】
このように構成される従来のストレーナー８０は、固定具３９ａ及び３９ｂを介して、床面４６と壁面４７とがなす角度が直角であるドレイン５０に固定される。
【０００５】
同様に床面と壁面とのコーナー部に取り付けられるストレーナーが、特許文献１にも開示されている。
【特許文献１】特開平８−９３１５０号公報
【発明の開示】
【発明が解決しようとする課題】
【０００６】
上記のような従来のストレーナー８０では、特許文献１に示すストレーナーと同様に、底面８２を含む面と背面８３を含む面とがなす角度が直角に構成されている。しかし、排水のために水勾配を設ける等して床面４６と壁面４７とがなす角度が直角でない場合に問題が生じる。
【０００７】
図１６は従来のストレーナーの問題点を示すための概略断面図である。
【０００８】
図を参照して、床面４６には水平面に対して角度θの勾配が設けられており、床面４６と壁面４７とがなす角度は直角ではなく、それより小さくなっている。そこに、底面８２を含む面と背面８３を含む面とがなす角度が直角であるストレーナー８０を取り付けると、背面８３と壁面４７との間に隙間８１が生じる。したがって、床面４６と壁面４７とのコーナー部に不安定な状態でストレーナー８０が取り付けられることになる。
【０００９】
この発明は、上記のような課題を解決するためになされたもので、コーナー部の床面と壁面とがなす角度に合わせて安定して取り付けることができるストレーナーを提供することを目的とする。
【課題を解決するための手段】
【００１０】
上記の目的を達成するために、請求項１記載の発明は、床面と壁面とのコーナー部に取り付けられるストレーナーであって、床面に接する第１の設置面を有する底面部と、壁面に接する第２の設置面を有する背面部と、第１の設置面を含む面と第２の設置面を含む面とがなす角度を調整することができる角度調整手段とを備えたものである。
【００１１】
このように構成すると、第１の設置面を含む面と第２の設置面を含む面とがなす角度が変化する。
【００１２】
請求項２記載の発明は、請求項１記載の発明の構成において、角度調整手段は、背面部の外周縁に沿って形成されると共に壁面の側に伸びる複数の切断自在の爪を含むものである。
【００１３】
このように構成すると、爪を壁面に合わせて切断すると、爪の各々の先端がなす面が第２の設置面を構成する。
【００１４】
請求項３記載の発明は、請求項１記載の発明の構成において、背面部は、底面部に一体的に接続される正面板と、正面板に対して壁面の側に配置される背面板とを含み、角度調整手段は、正面板に対して背面板がなす角度を調整するものである。
【００１５】
このように構成すると、正面板に対する背面板がなす角度を調整すると、背面板の壁面側の面が第２の設置面を構成する。
【００１６】
請求項４記載の発明は、請求項３記載の発明の構成において、角度調整手段は、背面板の正面板の側に取り付けられ、ネジ山が形成された第１の棒状体と、正面板の背面板の側に回動自在に取り付けられ、回転に伴って前記ネジ山に螺合する回転体と、背面板の下方両端を回動自在に支持する第２の棒状体とを含むものである。
【００１７】
このように構成すると、回転体を回転させると、回転に応じて正面板に対する背面板の距離が変化する。
【００１８】
請求項５記載の発明は、請求項１記載の発明の構成において、角度調整手段は、背面部の壁面の側に取り付けられると共に押圧によって変形可能なスペーサーを含むものである。
【００１９】
このように構成すると、スペーサーが壁面に合わせて変形し、スペーサーの壁面側の面が第２の設置面を構成する。
【００２０】
請求項６記載の発明は、請求項１から請求項５のいずれかに記載の発明の構成において、底面部は、外周縁に沿って形成されると共に床面の側に伸びる複数の鋳物よりなる柱状の脚を含み、脚の各々の先端がなす面が前記第１の設置面を構成するものである。
【００２１】
このように構成すると、ストレーナーの自重が増加する。
【発明の効果】
【００２２】
以上説明したように、請求項１記載の発明は、第１の設置面を含む面と第２の設置面を含む面とがなす角度が変化するため、その角度を床面と壁面とがなす角度に合わせることができ、ストレーナーの取付け状態が安定する。
【００２３】
請求項２記載の発明は、請求項１記載の発明の効果に加えて、爪を壁面に合わせて切断すると、爪の各々の先端がなす面が第２の設置面を構成するため、爪を切断するだけで第１の設置面を含む面と第２の設置面を含む面とがなす角度を床面と壁面とがなす角度に合わせることができ、ストレーナーの取付けが容易となる。
【００２４】
請求項3記載の発明は、請求項１記載の発明の効果に加えて、正面板に対する背面板がなす角度を調整すると、背面板の壁面側の面が第２の設置面を構成するため、正面板に対する背面板がなす角度を調整するだけで、第１の設置面を含む面と第２の設置面を含む面とがなす角度を床面と壁面とがなす角度に合わせることができ、ストレーナーの取付けが容易となる。
【００２５】
請求項４記載の発明は、請求項３記載の発明の効果に加えて、回転体を回転させると、回転に応じて正面板に対する背面板の距離が変化するため、回転体を回転させるだけで、第１の設置面を含む面と第２の設置面を含む面とがなす角度を床面と壁面とがなす角度に合わせることができ、角度の微調整が容易となる。
【００２６】
請求項５記載の発明は、請求項１記載の発明の効果に加えて、スペーサーが壁面に合わせて変形し、スペーサーの壁面側の面が第２の設置面を構成するため、ストレーナーをコーナー部に押し付けるだけで、第１の設置面を含む面と第２の設置面を含む面とがなす角度を床面と壁面とがなす角度に合わせることができ、ストレーナーの取付けが容易となる。
【００２７】
請求項６記載の発明は、請求項１から請求項５のいずれかに記載の発明の効果に加えて、ストレーナーの自重が増加するため、締結部材を使用することなくストレーナーを設置することができ、ストレーナーの取付けが更に容易となる。
【発明を実施するための最良の形態】
【００２８】
図１はこの発明の第１の実施の形態によるストレーナーの外観斜視図であって、従来例で示した図１４に対応した図である。図２は図１で示したストレーナーの取付け状態を示した概略平面図であり、図３は図２で示したＩＩＩ−ＩＩＩラインの概略断面図である。
【００２９】
これらの図を参照して、平面視がコの字形状を有する金属製の枠２７と正面視がコの字形状を有する金属製の枠２５とは、側面視において直角になるように、枠２７及び２５の両端部の各々が接続されている。枠２７からは、床面４６側に伸びるように、矩形平板状よりなる金属製の複数の爪３１ａ、３１ｂ及び３２が通水スペース３５ａ（図示せず）、３５ｂ及び３６を介して形成されている。通水スペース３５ａ（図示せず）、３５ｂ及び３６は、落ち葉等は通過させず、砂やほこり等は通過させる所定の大きさを有する。枠２５からは、壁面４７側に伸びるように、切断容易な金属製の複数の爪２９、３０ａ及び３０ｂが所定の間隔をあけて形成されている。
【００３０】
枠２７と枠２５との間に、直角三角形形状に形成される両側面及び矩形形状に形成される傾斜面には、金属製のメッシュ３７が折り曲げられて一体的に取り付けられている。なお、傾斜面部分の枠２７及び２５と、爪３２及び２９と、傾斜面部分のメッシュ３７とは、ほぼ同一平面になるように形成されている。傾斜面部分のメッシュ３７の下方中央の外方側には、矩形平板状のプレート３８が取り付けられ、そのプレート３８からメッシュ３７を貫通して壁面４７側に伸びるように、平板状の線材をねじった形状よりなる固定具３９ａ及び３９ｂが接続されている。
【００３１】
ストレーナー２０においては、枠２７と、爪３１ａ、３１ｂ及び３２とが底面部２１を構成し、枠２５と、爪２９、３０ａ及び３０ｂとが背面部２２を構成する。更に、爪３１ａ、３１ｂ及び３２の各々の先端がなす面が、床面４６に接する第１の設置面２３を構成し、爪２９、３０ａ及び３０ｂの各々の先端がなす面が、壁面４７に接する第２の設置面２４を構成する。
【００３２】
ここで、上記のように構成されるストレーナー２０の床面４６と壁面４７とのコーナー部への取付け方法を説明する。ストレーナー２０を取り付けるコーナー部は、樹脂製のドレイン５０が建造物の屋上等のコンクリート製の床４４及び壁４５に沿って固定され、床面４６及び壁面４７が形成されている。ドレイン５０は既設の排水管５３に差し込まれる中空円柱状に形成される部分を有する。床面４６には、排水のために水平面に対して角度θの勾配が設けられており、床面４６と壁面４７とがなす角度は（９０−θ）°となっている。何も加工しないままでは、ストレーナー２０は第１の設置面２３と第２の設置面２４とがなす角度が直角であるため、従来例として示した図１６のように、隙間があいてしまい取付け状態が不安定となってしまう。
【００３３】
そこで、先ず、ストレーナー２０の背面部２２に形成されている爪２９、３０ａ及び３０ｂを壁面４７に合わせて、すなわち図１に示す二点鎖線の位置で切断する。これによって、切断後の爪２９、３０ａ及び３０ｂの各々の先端がなす面が第２の設置面を構成することになる。
【００３４】
次に、固定具３９ａ及び３９ｂの各々の先端がドレイン５０の内面５２に圧接するように広げておき、これを撓ませた状態で固定具３９ａ及び３９ｂをドレイン５０に差し込み、ストレーナー２０を所定の位置に取り付ける。
【００３５】
以上により、背面部２２に形成される爪２９、３０ａ及び３０ｂを壁面４７に合わせて切断すると、第１の設置面２３を含む面と第２の設置面２４を含む面とがなす角度を、図３に示すように、床面４６と壁面４７とがなす角度（９０−θ）°に合わせることができる。したがって、ストレーナー２０の取付け状態が安定する。
【００３６】
図４はこの発明の第２の実施の形態によるストレーナーの外観斜視図であって、第１の実施の形態による図１に対応した図である。図５は図４で示したストレーナーの取付け状態を示した概略平面図であり、図６は図５で示したＶＩ−ＶＩラインの概略断面図である。
【００３７】
これらの図を参照して、第１の実施の形態とは基本的な構成は共通するので、異なる点を中心に説明する。すなわち、第１の実施の形態では枠２７に爪３１ａ、３１ｂ及び３２が形成されていたが、これに代えて、平面視がコの字形状である所定の厚みを有する鋳物製の枠５７が、枠２７の外面に沿って取り付けられている。枠５７からは、床面４６側に伸びるように、四角柱形状よりなる鋳物製の複数の脚５９ａ、５９ｂ及び６０が通水スペース６１ａ（図示せず）、６１ｂ及び６２を介して形成されている。
【００３８】
更に、第１の実施の形態では、メッシュ３７にはプレート３８とそれに接続された固定具３９ａ及び３９ｂとが取り付けられていたが、この実施の形態では、これらに対応するものは取り付けられていない。
【００３９】
ストレーナー５５においては、枠２７及び５７と、脚５９ａ、５９ｂ及び６０とが底面部２１を構成し、背面部２２は、第１の実施の形態と同一に構成される。更に、脚５９ａ、５９ｂ及び６０の先端がなす面が第１の設置面２３を構成し、第２の設置面２４は、第１の実施の形態と同一に構成される。
【００４０】
ここで、上記のように構成されるストレーナー５５の床面４６と壁面４７とのコーナー部への取付け方法を説明する。
【００４１】
第１の実施の形態と同様に、ストレーナー５５の背面部２２に形成されている爪２９、３０ａ及び３０ｂを壁面４７に合わせて、すなわち図４に示す二点鎖線の位置で切断する。これによって、切断後の爪２９、３０ａ及び３０ｂの各々の先端がなす面が第２の設置面２４を構成することになる。
【００４２】
次に、ストレーナー５５を所定の位置に配置し、取付けは完了する。
【００４３】
ストレーナー５５の底面部２１は鋳物で形成されているため、ストレーナー５５の自重が増加し、取付け位置から不用意に移動しなくなる。したがって、第１の実施の形態で用いられている固定具３９ａ及び３９ｂ等の締結部材を使用することなく、ストレーナー５５をコーナー部へ取り付けることができるため、ストレーナー５５の取付けが容易となる。
【００４４】
図７はこの発明の第３の実施の形態によるストレーナーの外観斜視図であって、第１の実施の形態による図１に対応した図である。図８は図７で示したストレーナーの取付け状態を示した概略平面図であり、図９は図８で示したＩＸ−ＩＸラインの概略断面図であり、図１０は図９で示したＡ部分の拡大図である。
【００４５】
これらの図を参照して、ストレーナー６５は、断面がほぼＬ字状を有する金属製の正面板６６に、正面視コの字形状の金属製の背面板６７が、正面板６６に対して壁面４７側に所定の間隔をあけて平行に配置されている。正面板６６には、折り曲げ方向に延びる複数の帯状の開口７１が形成されており、この開口７１が通水スペースとなる。
【００４６】
正面板６６の上端と背面板６７の上端は整列し、背面板６７の下端は正面板６６のほぼ中央の高さに位置する。正面板６６と背面板６７とは、上方中央部分においては角度調整具７０を介して互いに接続され、背面板６７の下方両端においては、第２の棒状体６８ａ及び６８ｂを介して互いに接続されている。
【００４７】
角度調整具７０は、図１０を中心に参照して、背面板６７にピン７４を介して接続されたネジ山が形成された第１の棒状体７３と、正面板６６の背面板６７側に形成された中空円柱状の突出部７７に回動自在に差し込まれると共に、回転に伴って第１の棒状体７３のネジ山に螺合する回転体７２とから構成されている。回転体７２は円板形状を有し、その中心を内面側にネジ山が形成された中空状の円柱が貫通している。その円柱の正面板６６側の端部には、正面板６６の突出部７７に勘合するように外面に沿って凸部７８が形成されている。
【００４８】
第２の棒状体６８ａ及び６８ｂの正面板６６側の端部の各々は、正面板６６に対して垂直に接続され、背面板６７側の端部の各々は、ピン６９ａ及び６９ｂを介して回動自在に接続されている。
【００４９】
ストレーナー６５においては、正面板６６の床４４側の部分が底面部２１を構成し、正面板６６の壁４５側の部分と、背面板６７とが背面部２２を構成し、角度調整具７０と、第２の棒状体６８ａ及び６８ｂとが角度調整手段を構成する。更に、正面板６６の床面４６側の面が第１の設置面２３を構成し、背面板６７の壁面４７側の面が第２の設置面２４を構成する。
【００５０】
この実施の形態のストレーナー６５では、回転体７２を回転させると、第２の棒状体６８ａ及び６８ｂを介して接続されている部分の距離は一定のまま、正面板６６の上端と背面板６７の上端との距離が変化する。一方、背面板６７の下方端部は、第２の棒状体６８ａ及び６８ｂに対して回動自在となっている。したがって、正面板６６に対して背面板６７のなす角度が変化する。そこで、回転体７２を回転させると、第１の設置面２３を含む面と第２の設置面２４を含む面とがなす角度を、床面４６と壁面４７とがなす角度（９０−θ）°に合わせることができるため、角度の微調整が容易となり、ストレーナー６５の取付け状態が安定する。
【００５１】
図１１はこの発明の第４の実施の形態によるストレーナーの外観斜視図であって、第１の実施の形態による図１に対応した図である。図１２は図１１で示したストレーナーの取付け状態を示した概略平面図であり、図１３は図１２で示したＸＩＩＩ−ＸＩＩＩラインの概略断面図である。
【００５２】
これらの図を参照して、第３の実施の形態とは基本的な構成は共通するので、異なる点を中心に説明する。すなわち、第３の実施の形態では、正面板６６の突出部７７と、背面板６７と、角度調整具７０と、第２の棒状体６８ａ及び６８ｂとを備えているが、これに代えて、正面板６６の壁面４７側の面の上方両端に、変形可能な軟質樹脂等よりなる四角柱形状を有するスペーサー７６ａ及び７６ｂが鉛直方向に取り付けられている。
【００５３】
ストレーナー７５においては、正面板６６の床４４側の部分が底面部２１を構成し、正面板６６の壁４５側の部分と、スペーサー７６ａ及び７６ｂとが背面部２２及び角度調整手段を構成する。更に、正面板６６の床面４６側の面が第１の設置面２３を構成し、スペーサー７６ａ及び７６ｂの壁面４７側の面が第２の設置面２４を構成する。
【００５４】
この実施の形態のストレーナー７５では、コーナー部に設置して壁面４７に押し付けると、図１２及び図１３の二点鎖線で示されるもとのスペーサー７６ａ及び７６ｂが、壁面４７に合わせて変形する。したがって、所定の位置にストレーナー７５を取り付けると、第１の設置面を含む面と第２の設置面を含む面とがなす角度を、床面２３と壁面２４とがなす角度（９０−θ）°に合わせることができるため、ストレーナー７５の取付け状態が安定する。
【００５５】
尚、上記の各実施の形態では、設置前の第１の設置面と第２の設置面とがなす角度が直角に構成されているが、床面と壁面とのコーナー部に調整することができる範囲を含むものであれば、他の角度でもよい。
【００５６】
又、上記の各実施の形態では、ストレーナーは金属製の材料より形成されているが、樹脂製等他の材料であってもよい。
【００５７】
更に、上記の第１及び第２の実施の形態では、複数の爪が背面部の外周縁に沿って形成されているが、爪は少なくとも２本以上あればよく、第２の設置面を構成することができれば、背面部の他の部分に形成されてもよい。
【００５８】
更に、上記の第１及び第２の実施の形態では、ストレーナーはコの字状の枠とメッシュとを含む形状となっているが、底面部と背面部とを備えていれば、他の形状であってもよい。
【００５９】
更に、上記の第３及び第４の実施の形態では、ストレーナーは断面Ｌ字状よりなる正面板を含む形状となっているが、底面部と背面部とを備えていれば、他の形状であってもよい。
【００６０】
更に、上記の第２の実施の形態では、複数の脚が底面部の外周縁に沿って形成されているが、第１の設置面を構成することができれば、底面部の他の部分に形成されてもよい。
【００６１】
更に、上記の第２の実施の形態では、底面部は鋳物より形成されているが、ストレーナーを安定して設置することができる程度に重量があれば、他の材質であってもよい。
【００６２】
更に、上記の第４の実施の形態では、２個のスペーサーを正面板の壁面側の面の上方両端に取り付けているが、スペーサーは１個又は３個以上であってもよく、第２の設置面を構成することができれば、他の部分に取り付けてもよい。
【図面の簡単な説明】
【００６３】
【図１】この発明の第１の実施の形態によるストレーナーの外観斜視図である。
【図２】図１で示したストレーナーの取付け状態を示した概略平面図である。
【図３】図２で示したＩＩＩ−ＩＩＩラインの概略断面図である。
【図４】この発明の第２の実施の形態によるストレーナーの外観斜視図である。
【図５】図４で示したストレーナーの取付け状態を示した概略平面図である。
【図６】図５で示したＶＩ−ＶＩラインの概略断面図である。
【図７】この発明の第３の実施の形態によるストレーナーの外観斜視図である。
【図８】図７で示したストレーナーの取付け状態を示した概略平面図である。
【図９】図８で示したＩＸ−ＩＸラインの概略断面図である。
【図１０】図９で示したＡ部分の拡大図である。
【図１１】この発明の第４の実施の形態によるストレーナーの外観斜視図である。
【図１２】図１１で示したストレーナーの取付け状態を示した概略平面図である。
【図１３】図１２で示したＸＩＩＩ−ＸＩＩＩラインの概略断面図である。
【図１４】従来のストレーナーの外観斜視図である。
【図１５】図１４で示したストレーナーの取付け状態を示した概略断面図である。
【図１６】従来のストレーナーの問題点を示すための概略断面図である。
【符号の説明】
【００６４】
２０，５５，６５，７５…ストレーナー
２１…底面部
２２…背面部
２３，２４…設置面
２９，３０，３１，３２…爪
４６…床面
４７…壁面
５９，６０…脚
６６…正面板
６７…背面板
６８，７３…棒状体
７２…回転体
７６…スペーサー
尚、各図中同一符号は同一または相当部分を示す。
【図１】
2008106421.tif 000003
【図２】
2008106421.tif 000004
【図３】
2008106421.tif 000005
【図４】
2008106421.tif 000006
【図５】
2008106421.tif 000007
【図６】
2008106421.tif 000008
【図７】
2008106421.tif 000009
【図８】
2008106421.tif 000010
【図９】
2008106421.tif 000011
【図１０】
2008106421.tif 000012
【図１１】
2008106421.tif 000013
【図１２】
2008106421.tif 000014
【図１３】
2008106421.tif 000015
【図１４】
2008106421.tif 000016
【図１５】
2008106421.tif 000017
【図１６】
2008106421.tif 000018